(57)【特許請求の範囲】
【請求項１】
本体層と、
該本体層の下面に設けられ、薬剤を含む薬剤層と
を備え、
前記薬剤は前記薬剤層から滲み出すようにしてある
ことを特徴とする人工爪。
【請求項２】
前記薬剤層の下面よりも先端が突出する突起部を備える
ことを特徴とする請求項１に記載の人工爪。
【請求項３】
前記突起部は前記本体層に設けられている
ことを特徴とする請求項２に記載の人工爪。
【請求項４】
前記突起部は前記薬剤層に設けられている
ことを特徴とする請求項２に記載の人工爪。
【請求項５】
薬剤を保持する保持部と、
該保持部の下面と接続され、先端部に前記薬剤が流出する孔部を有する突起部と、
前記保持部の他面に積層してある本体層と
を備えることを特徴とする人工爪。
【請求項６】
平面視三日月状をなす
ことを特徴する請求項１から請求項５のいずれか一項に記載の人工爪。
【請求項７】
請求項１から請求項６のいずれか一項に記載の人工爪を複数有する
ことを特徴とする人工爪セット。
【請求項８】
人工爪を収容する容器を有し、
該容器は前記人工爪の使用開始日を記録する記録部を含む
ことを特徴とする請求項７に記載の人工爪セット。
【発明の詳細な説明】
【技術分野】
【０００１】
本発明は、人工爪及び複数の人工爪を組み合わせた人工爪セット、並びに爪用シール及び爪用シールを複数有するシールシートに関する。
【背景技術】
【０００２】
近年、手指、足指に被着して、指先を美しく見せることができる人工爪（人造爪）が提案されている（特許文献１）。また、爪に貼ることにより、装飾を施すことが可能となるシールが提案されている（特許文献２）。
【先行技術文献】
【特許文献】
【０００３】
【特許文献１】実用新案登録第３１９９１０４号公報
【特許文献２】実開平１−６２７０５号公報
【発明の概要】
【発明が解決しようとする課題】
【０００４】
一方、近年、高齢者においては、４人中１人の割合で爪白癬に罹患すると言われている。爪白癬は自覚症状が乏しく重症化するまで治療されないことが多い。加えて、爪白癬が重症化した場合、爪が変形することにより疼痛を伴う。さらに、足の指に罹患した爪白癬が重症化すると、歩行困難となるリスクがある。
【０００５】
従来、爪白癬の治療には、内服薬の服用及び外用薬の塗布が行われている。しかしながら、爪白癬の治療薬は肝臓、腎臓に負担が掛かるため、既往歴に肝臓病や腎臓病がある高齢者は服用できない。また、薬剤の塗布においては、爪に薬剤を塗布するため、患部まで薬剤が浸透するのに時間を要する。さらに、入浴などにより塗布した薬剤が洗い流されてしまい、薬効を得られないことがある。
【０００６】
本発明は、このような事情に鑑みてなされたものであり、薬剤を爪に効果的に浸透させ、薬剤が洗い流されてしまうことを抑止することが可能な人工爪等を提供することを目的とする。
【課題を解決するための手段】
【０００７】
本発明に係る人工爪は、本体層と、該本体層の下面に設けられ、薬剤を含む薬剤層とを備え、前記薬剤は前記薬剤層から滲み出すようにしてあることを特徴とする。
【０００８】
本発明にあっては、薬剤層を持つ人工爪を罹患している爪表面に貼ることで、爪表面を本体層で覆うことにより、薬剤が洗い流されてしまうことを抑制し、薬剤を患部まで効果的に浸透させることが可能となる。
【０００９】
本発明に係る人工爪は、前記薬剤層の下面よりも先端が突出する突起部を有することを特徴とする。
本発明に係る人工爪は、前記突起部は前記本体層に設けられていることを特徴とする。
本発明に係る人工爪は、前記突起部は前記薬剤層に設けられていることを特徴とする。
【００１０】
本発明にあっては、突起部を設けたことにより、爪の表面に僅かな傷が生じ、薬剤が爪により浸透しやすくなる。
【００１１】
本発明に係る人工爪は、薬剤を保持する保持部と、該保持部の下面と接続され、先端部に前記薬剤が流出する孔部を有する突起部と、前記保持部の他面に積層してある本体層とを備えることを特徴とする。
【００１２】
本発明にあっては、保持部にて薬剤を保持し、突起部の先端から薬剤を流出させるので、患部を有する爪に対して、安定した量の薬剤を継続して供給することが可能となる。
【００１３】
本発明に係る人工爪は、平面視三日月状をなすことを特徴する。
【００１４】
本発明にあっては、人工爪を平面視三日月状とすることにより、爪の先端のみが患部である発病初期の段階に対応可能となる。
【００１５】
本発明に係る人工爪セットは、上述のいずれかの人工爪を複数有することを特徴とする。
【００１６】
本発明にあっては、複数の人工爪を組み合わせることにより、複数の指や爪の大きさの個人差に対応することが可能となる。
【００１７】
本発明に係る人工爪セットは、人工爪を収容する容器を有し、該容器は前記人工爪の使用開始日を記録する記録部を含むことを特徴とする。
【００１８】
本発明にあっては、記録部に使用開始日を記入しておくことにより、薬効が得られる期間が経過した人工爪の交換時期を容易に把握可能となる。
【発明の効果】
【００３５】
本発明にあっては、薬剤層を持つ人工爪を罹患している爪表面に貼ることで、爪表面を本体層で覆い、薬剤が洗い流されてしまうことを抑制するので、薬剤を患部まで効果的に浸透させることが可能となる。
【図面の簡単な説明】
【００３６】
【図１】人工爪の一例を示す説明図である。
【図２】図１のＩＩ−ＩＩ線による断面図である。
【図３】人工爪の他の例を示す断面図である。
【図４】人工爪の一例を示す斜視図である。
【図５】図４のＶ−Ｖ線による断面図である。
【図６】人工爪の一例を示す斜視図である。
【図７】人工爪を爪に被着した状態を示す平面図である。
【図８】人工爪セットの一例を示す平面図である。
【図９】爪用シールを含むシールシートの例を示す斜視図である。
【図１０】図９のＸ−Ｘ断面線による断面図である。
【図１１】爪用シールの一例を示す断面図である。
【図１２】爪用シールの一例を示す断面図である。
【図１３】爪用シールが押さえつけられた様子を示す部分拡大断面図である。
【図１４】爪用シールの一例を示す平面図である。
【図１５】爪用シールの一例を示す平面図である。
【図１６】爪用シールの一例を示す平面図である。
【図１７】爪用シールセットの構成例を示す平面図である。
【図１８】爪用シールセットの構成例を示す平面図である。
【発明を実施するための形態】
【００３７】
実施の形態１
以下、実施の形態を、図面を用いて具体的に説明する。図１は人工爪１の一例を示す説明図である。図１Ａは人工爪１のみを示す斜視図である。図１Ｂは人工爪１を患部のある爪に取り付けた態様を示す平面図である。図２は図１のＩＩ−ＩＩ線による断面図である。人工爪１の長手方向に交差する方向の断面は、アーチ形状としてある。人工爪１は人間の爪を模した形状としてある。
【００３８】
人工爪１は厚さ方向に積層された本体層１１及び薬剤層１２を含む２層構造としてある。本体層１１は、患部のある爪Ｎの表面に水が掛かることを防ぎ、外用薬などの薬剤が流されてしまうことを抑止する役目を担う。本体層１１は、硬質で非透水性の合成樹脂、例えば、アクリル樹脂で形成する。本体層１１を透水性樹脂で形成し、表面に非透水性の樹脂フィルムを貼り付けても良い。
【００３９】
薬剤層１２は本体層１１の裏面、すなわち爪に取り付けられる被着面の全面にわたり形成してある。薬剤層１２は、多孔質材料をシート状に成形した基材に爪白癬の外用薬などの薬剤を含浸させたものである。多孔質材料はウレタンなどの合成樹脂材に発泡剤を混合して成形したものである。人工爪１を患部のある爪Ｎに固定（被着）するときには、薬剤層１２の複数箇所に適度な接着剤を塗布してから、爪の表面に固定する。なお、人工爪１の使用前に、薬剤層１２の表面を保護するために、薬剤、水、ほこりなどを透過しないシート材を薬剤層１２の表面に貼付させておいても良い。
【００４０】
薬剤は、例えばエフィナコナゾール、テルビナフィン塩酸塩を含む液剤、懸濁剤・乳剤、軟膏剤等である。粘着剤には薬剤を含ませるので、薬剤と化学反応を起こさないもの材質のものを選択する。また、粘着剤は公知のものを使用可能であるが、生体適合性があるものが望ましい。
【００４１】
薬剤層１２は本体層１１裏面の全面にわたり形成するのではなく、裏面の一部に形成してもよい。本体層１１裏面の一部に薬剤層１２を設ける場合には、不連続な複数箇所に、設けても良い。また、薬剤層１２の基材に接着剤又は粘着剤を含ませても良い。この場合、爪Ｎに人工爪１を被着するときに、接着剤や粘着剤の塗布が不要となる。または、接着剤や粘着剤を少量塗布するだけで良い。
【００４２】
実施の形態１においては、次のような効果を奏する。薬剤を含ませた薬剤層１２を有する人工爪１を患部の罹患した爪Ｎに固定するので、薬剤を患部の爪Ｎに効果的に浸透させることが可能となる。本体層１１を設けたことにより、水が掛かっても薬剤が溶け出たり、洗い流されたりすることを抑制するので、薬剤を患部に浸透させることが可能となる。そして、薬剤の薬効を得ることが可能となる。
【００４３】
実施の形態２
実施の形態２における人工爪１は薬剤層１２に突起部を有する形態に関する。以下の説明おいては、実施の形態１と相違する点を主として説明し、実施の形態１と同様な点については、説明を省略する。
【００４４】
図３は人工爪１の他の例を示す断面図である。図３Ａは図２と同様な断面線による断面を示している。実施の形態２における人工爪１は本体層１１、薬剤層１２に加えて、さらに突起部１３を含む。突起部１３は本体層１１と一体して形成してある。突起部１３は円錐状、三角錐状など錐体状をなしている。突起部１３には、表面に塗布、含浸させるなどの方法により、薬剤を含ませる。
【００４５】
図３Ｂは人工爪１が爪Ｎに固定されている状態を示す部分拡大断面図である。図３Ｂに示すように、人工爪１が爪Ｎに固定された際には、突起部１３を有する部分の薬剤層１２は収縮、変形している。この収縮、変形部分の復元力により、突起部１３は爪Ｎに押し付けられる。なお、本実施の形態においても人工爪１を爪Ｎに被着する際に、接着剤又は粘着剤を使用するが、図３Ｂにおいては記載を省略している。
【００４６】
実施の形態２においては、実施の形態１が奏する効果に加えて、以下の様な効果を奏する。突起部１３を設けたことにより、爪Ｎの表面に僅かな傷が生じ、薬剤が爪Ｎにより浸透しやすくなる。
【００４７】
なお、突起部１３に薬効を得られる十分な薬剤を含ませることが可能である場合には、薬剤層１２を、粘着性を有する粘着層としてもよい。
【００４８】
実施の形態３
実施の形態３における人工爪１は薬剤を保持する保持部を有する形態に関する。以下の説明おいては、他の実施の形態と相違する点を主として説明し、他の実施の形態と同様な点については、説明を省略する。
【００４９】
図４は人工爪１の一例を示す斜視図である。図５は図４のＶ−Ｖ線による断面図である。図５は人工爪１の断面を示している。人工爪１は本体層１１、突起部１３、薬剤保持部１４、粘着層１５を含む。薬剤保持部１４は本体層１１の下側（取り付けた際に爪に近い側）に、空間が形成されるように距離をおいて、設けられている。薬剤保持部１４は本体層１１よりも一回り小さい大きさとしてある。突起部１３は薬剤保持部１４から下側に突出している。突起部１３は錐体状をなしている。突起部１３には根元部で薬剤保持部１４と連通し、先端部まで至る薬剤導入路１３１が設けてある。粘着層１５は薬剤保持部１４の下側であって、薬剤導入路１３１を塞がないように突起部１３を避けて設けてある。薬剤保持部１４が設けられていない本体層１１の内側にも、粘着層１５を設けてある。
【００５０】
人工爪１は粘着層１５により、患部を有する爪に固定される。人工爪１が爪に固定されると、突起部１３の先端部は爪に所定の圧力を掛けるように密着する。薬剤保持部１４は内部に液体状の薬剤を保持している。薬剤は、薬剤保持部１４と連通する薬剤導入路１３１の根元部から薬剤導入路１３１に流入する。流入した薬剤は、先端に向けて薬剤導入路１３１を流動し、爪と接触する先端部から吐出する。吐出した薬剤は、患部の爪Ｎに浸透する。
【００５１】
実施の形態３では、薬剤保持部１４にて薬剤を保持し、突起部１３の先端から吐出させる。それにより、患部である爪に対して、安定した量の薬剤を継続して供給することが可能となる。
【００５２】
実施の形態４
実施の形態４は、人工爪１が平面視三日月状をなしている形態に関する。図６は人工爪１の一例を示す斜視図である。人工爪１は他の実施の形態と同様に本体層１１と薬剤層１２とからなる。図７は人工爪１を爪に被着した状態を示す平面図である。図７に示すように本実施の形態の人工爪１は平面視三日月状とすることにより、爪Ｎの先端に容易に取り付け可能となる。爪白癬は爪Ｎの先端から発症するため、初期の段階で治療が可能となる。
【００５３】
実施の形態５
実施の形態５は、人工爪１を複数個組み合わせた人工爪セットに関する。図８は人工爪セット１０の一例を示す平面図である。人工爪セット１０は、人工爪１を５個組み合わせたものである。各人工爪１は同一形状、同一サイズである。爪白癬は完治するまで数ヶ月を要するので、複数の人工爪１を組み合わせることは有効である。
【００５４】
図８に示すように、５個の人工爪１はケース２に収められている。ケース２は、直方状の箱に仕切りをつけ、人工爪セット１０を構成する５個の人工爪１を個別に収められるようにしたものである。ケース２の天面は略全面が開口となっているが、一部に底面と平行で板状をなす記入部２１が設けられている。記入部２１は、区切られた記入領域２１ａ〜２１ｅを含む。記入領域２１ａ〜２１ｅのそれぞれは、５個の人工爪１それぞれに対応している。記入領域２１ａ〜２１ｅは５個の人工爪１それぞれを使用開始した日付を記入するために設けてある。使用開始日を記入しておくことにより、薬効が得られる期間が経過した人工爪１の交換時期を容易に把握可能となる。
【００５５】
実施の形態６
実施の形態６は爪用シールについての形態に関する。図９は爪用シール３を含むシールシートの例を示す斜視図である。図１０は図９のＸ−Ｘ断面線による断面図である。使用前の爪用シール３はシール台紙４に貼り付けられた状態となっている。
【００５６】
爪用シール３は保護層３１、本体層３２、薬剤層３３を含む。保護層３１は薄い透明のフィルム状をなしている。保護層３１は爪用シール３を水分などから保護する。保護層３１は、ポリプロピレン、ポリエステル、ＰＥＴ（ｐｏｌｙｅｔｈｙｌｅｎｅ  ｔｅｒｅｐｈｔｈａｌａｔｅ）などの透明な樹脂により形成する。本体層３２は上質紙、アート紙、クラフト紙などの紙で構成する。なお、本体層３２は紙ではなく樹脂フィルムで構成してもよい。薬剤層３３は薬剤と粘着剤とを含む。爪用シール３は、薬剤層３３側が取付面となる。シール台紙４は爪用シール３が容易に剥がれるように、表面にシリコーン樹脂などで形成した図示しない剥離層を含む。
【００５７】
以上のように構成された爪用シール３は、次のように使用される。ユーザはシール台紙４から爪用シール３をはがし、患部を有する爪の曲面に沿うようにして、爪用シール３を貼る。爪用シール３の薬剤層３３は粘着剤が含まれているから、当該粘着剤により、爪用シール３は爪に固定される。
【００５８】
実施の形態６の爪用シール３は以下の効果を奏する。薬剤層３３には爪白癬治療用の薬剤を含んでいるから、爪を介して患部まで薬剤が浸透し、薬効を得ることが可能である。また、爪用シール３はシート状であるから、爪の曲面に沿って貼ることが可能である。さらに、爪用シール３はシート状をなすので、ハサミやカッターなどで切り取ることにより、爪に合う形状に整えることが可能である。
【００５９】
実施の形態７
実施の形態７は突起部を備える構成に関する。図１１は爪用シール３の一例を示す断面図である。爪用シール３は保護層３１、本体層３２、薬剤層３３、突起部３５を含む。爪用シール３は使用開始前には、シール台紙４に貼り付けられている。保護層３１、本体層３２の構成は、実施の形態６と同様であるから説明を省略する。
【００６０】
薬剤層３３は、薬剤及び当該薬剤と化学反応を起こさない材質の粘着剤を含む。当該粘着剤は生体適合性があるものが望ましい。突起部３５は円錐状などの錐体状をなしている。突起部３５は薬剤層３３から下側（使用時に爪に向かう側）に突出するように設けられている。突起部３５は薬剤層３３よりも硬い材質で形成する。図１１に示すように爪用シール３がシール台紙４に貼り付けられている状態では、突起部３５が固定されている部分の薬剤層３３は突起部３５に押さえつけられ、他の部分よりも厚さが薄くなっている。        
【００６１】
本実施の形態による爪用シール３は、実施の形態６と同様、シール台紙４から剥がして、患部のある爪に貼り付けて用いる。爪用シール３が爪に貼り付けられると、突起部３５は、図１１に示したよりも粘着層３４に埋め込まれるようになる薬剤層３３は弾性を持つため、弾性力により突起部３５が爪に押し付けられることになる。
【００６２】
実施の形態７の爪用シール３は実施の形態６の奏する効果に加えて、以下の効果を奏する。突起部３５を設けたことにより、爪の表面に僅かな傷をつける。それにより、薬剤が爪に浸透しやすくなり、薬効がより得られやすくなる。なお、本実施の形態において、薬剤を突起部３５に含ませる構成とし、薬剤層３３に替えて、薬剤を含まない粘着層を用いても良い。
【００６３】
実施の形態８
実施の形態８は薬剤を保持する薬剤保持部を有する形態に関する。図１２は爪用シール３の一例を示す断面図である。爪用シール３は保護層３１、本体層３２、粘着層３４、突起部３５、薬剤保持部３６を有する。爪用シール３は使用開始前には、シール台紙４に貼り付けられている。保護層３１、本体層３２、粘着層３４、シール台紙４については、他の実施の形態と同様であるから、説明を省略する。
【００６４】
突起部３５は円錐台状などの錐台状をなしている。突起部３５は粘着層３４から下側（使用時に爪に向かう側）に突出するように設けられている。突起部３５は中空としてあり先端に孔が設けてある。突起部３５は内部に薬剤保持部３６を有している。薬剤保持部３６は球形状や多面体状をなしている。薬剤保持部３６はシート又はフィルムなどにより形成された外殻と内部に収納された薬剤を含む。薬剤保持部３６は突起部３５の根元（粘着層３４に近い部分）に設けられている。
【００６５】
本実施の形態による爪用シール３は、実施の形態６と同様、シール台紙４から剥がして、患部のある爪に貼り付けて用いる。爪用シール３を爪に貼り付けて固定した後、さらに爪用シール３の表面全体を爪に万遍なく押さえつける。図１３は爪用シール３が押さえつけられた様子を示す部分拡大断面図である。図１３Ａは押さえつけられる前の様子を示し、図１３Ｂは押さえつけられた際の様子を示す。突起部３５は錐台状をしているため、粘着層３４に近い根元部分より、爪Ｎ側に向かって先細りとなっている。薬剤保持部３６は突起部３５の根元に納まる大きさとしてある。そのため、図１３Ａに示すように、薬剤保持部３６は突起部３５の先端の方には移動できないようになっている。このような状態で、ユーザが爪に貼り付けられた爪用シール３の表面の一部を順に押していき、爪用シール３の表面全体を押し終えると図１３Ｂに示す様子となる。爪用シール３において、突起部３５が設けられた部分の表面が押さえつけられると、保護層３１、本体層３２、粘着層３４が下方向（爪Ｎ方向）に押さえつけられ、変形する。それにより、薬剤保持部３６も下方向に押さえつけられる。しかし、突起部３５は先細りとなっているため、薬剤保持部３６はその場に留まり、全体が変形する。そして、ある一定以上の力が掛かった段階で、破裂するように外殻に孔が開き、内部の薬剤が突起部３５の先端に向かって流れ出る。流れ出た薬剤は爪Ｎに達し、爪内部に浸透する。
【００６６】
実施の形態８の爪用シール３は他の実施の形態の奏する効果に加えて、以下の効果を奏する。突起部３５を設けたことにより、爪の表面に僅かな傷をつける。それにより、薬剤が爪に浸透しやくなり、薬効がより得られやすくなる。また、薬剤保持部３６を設けたことにより、ある一定量の薬剤を確実に爪Ｎの表面に供給可能となる。それにより、薬効を得ることが可能となる。なお、本実施の形態においても、粘着層３４に変えて、薬剤と粘着剤が混合された粘着層を用いても良い。
【００６７】
実施の形態９
実施の形態９は、爪用シール３が平面視三日月状をなしている形態に関する。図１４は爪用シール３の一例を示す平面図である。図１４に示すように爪用シール３を平面視三日月状にしてある。それ以外の構成ついては、他の実施の形態と同様であるから説明を省略する。
【００６８】
本実施の形態においては、爪用シール３を患部が有する爪の先端部分に貼り付ける。それにより、爪の先端が患部となる初期の段階で爪白癬の治療が可能となる。
【００６９】
実施の形態１０
実施の形態１０は、薬剤層３３を本体層の全面ではなく面の一部に設ける形態に関する。その他の構成は他の実施の形態と同様であるから、以下の説明では異なる点について、主に説明する。図１５は爪用シール３の一例を示す平面図である。爪用シール３は使用開始前にはシール台紙４に貼り付けられている。薬剤層３３は平面視形状は、爪用シール３の外形と相似形をしており、爪用シール３の外形よりも小さい大きさとしてある。すなわち、爪用シール３の薬剤層３３は爪用シール３の取付面の全面には設けられていない。そして、爪用シール３の外縁には粘着剤を含む薬剤層３３は設けられていない。それにより、爪用シール３を剥がす際に剥がしやすいという効果を奏する。なお、粘着剤を含む薬剤層３３を設ける面積を小さくし過ぎると、爪用シール３がユーザの意図しない場面で剥がれやすくなってしまうので、薬剤層３３を設ける面と設けない面との面積比は、適宜調整する。
【００７０】
実施の形態１１
実施の形態１１は、粘着性の異なる複数の薬剤層３３１、３３２を設ける形態に関する。その他の構成は他の実施の形態と同様であるから、以下の説明では異なる点について、主に説明する。図１６は爪用シール３の一例を示す平面図である。爪用シール３は使用開始前にはシール台紙４に貼り付けられている。図１７に示すように爪用シール３の取付面には２つの薬剤層３３１、３３２が設けられている。薬剤層３３１は爪用シール３の外形に合わせた形状としてある。薬剤層３３２は薬剤層３３１の内部に形成され、平面視矩形状をなしている。２つの薬剤層３３１、３３２は粘着剤と薬剤とを含む。一の薬剤層３３２は他の薬剤層３３１の周縁に設けてある。一の薬剤層３３２は他の薬剤層３３１よりも粘着力を弱くしてある。それにより、爪用シール３の使用時は剥がれにくいが、爪から剥がす際に剥がしやすいという、相反する効果を両立して得られる。なお、薬剤層の粘着性を多段階に変化するようにしても良い。例えば、爪先の対応する部分はもっとも粘着力を強くし、爪の生え際に近づくにつれて粘着力を弱くするようにしても良い。爪が伸びるのにつれて、爪用シール３を切っていけば、時間経過により粘着力が強い部分が徐々に減り、交換時期になったときに、爪用シール３が剥がしやすいという効果を奏する。また、爪用シール３の取付面の一部に、薬剤層３３１、３３２のいずれも設けられていない部分を設けても良い。さらにまた、２つの薬剤層３３１、３３２のいずれか一方を薬剤が含まれない、粘着層としてもよい。
【００７１】
実施の形態１２
実施の形態１２は、上述の爪用シール３を複数備える形態に関する。図１７は爪用シールセットの構成例を示す平面図である。爪用シールセットは、５つの爪用シール３を含む。５つの爪用シール３それぞれは上述のいずれかの爪用シール３と同様であるから、詳細な説明は省略する。各爪用シール３は同一形状、同一サイズである。爪白癬は完治するまで数ヶ月を要するので、複数の爪用シール３を組み合わせることは有効である。爪用シール３それぞれは、使用開始前はシール台紙４に貼り付けられている。シール台紙４には、爪用シール３それぞれに対応して記入領域４１ａ〜４１ｅが設けてある。記入領域４１ａ〜４１ｅは爪用シール３それぞれを使用開始した日付を記入する。使用開始日を記入しておくことにより、薬効が得られる期間が経過した爪用シール３の交換時期を容易に把握可能となる。
【００７２】
実施の形態１３
実施の形態１３は、爪用シールセットにおいて、薬剤を含ませないシールを組み合わせる形態に関する。図１８は、爪用シールセットの構成例を示す平面図である。爪用シールセットは、爪用シール３ａ１〜３ｅ１の５枚、爪用シール３ａ２〜３ｅ２の５枚の計１０枚からなっている。爪用シール３ａ１〜３ｅ１、３ａ２〜３ｅ２のそれぞれは、上述のいずれかの爪用シール３と同様な構成である。爪用シール３ａ１及び３ａ２は親指用である。爪用シール３ｂ１及び３ｂ２は人差し指用である。爪用シール３ｃ１、３ｃ２は中指用である。爪用シール３ｄ１及び３ｄ２は薬指用である。爪用シール３ｅ１及び３ｅ２は小指用である。以上のように、複数の人工爪をセットとすることで、複数の指や、爪の大きさの個人差に対応することが可能となる。
【００７３】
爪用シール３ａ１〜３ｅ１は、薬剤を含むシールである。爪用シール３ａ２〜３ｅ２は、薬剤を含まないシールである。本実施の形態の爪用シールセットでは、表面に模様等を描き、装飾性を持たせることが可能である。そのために、薬剤を含むシールと薬剤を含まないシールを用意してある。爪白癬に感染している指には、薬剤を含むシールを使用し、爪白癬に感染していない指には、薬剤を含まないシールを使用すれば、すべて指について同様な装飾を施すことが可能となる。
【００７４】
実施の形態１３では、爪用シール３を爪白癬の治療だけではなく、指先を美しく見せるための装飾品としての効果を奏する。なお、爪用シール３は無地とし、装飾を施した装飾シールを別途用意して、当該装飾シールで、爪用シール３に装飾を施すようにしても良い。
【００７５】
上述の実施形態における人工爪１又は爪用シール３は、手の爪及び足の爪いずれにも適用可能である。また、人工爪１は大きさが異なるものを複数用意し、手の爪又は足の爪の大きさに合わせたものを使用しても良い。また、実施の形態１３のような５本指用のセットを人工爪で実現してもよい。
【００７６】
各実施例で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００７７】
１      人工爪
１１    本体層
１１３  突起部
１２    薬剤層
１３    突起部
１３１  薬剤導入路
１３２  吐出孔
１４    薬剤保持部
１５    粘着層
２      ケース
２１    記入部
３      爪用シール
３１    保護層
３２    本体層
３３    薬剤層
３４    粘着層
３５    突起部
３６    薬剤保持部
４      シール台紙
【要約】
【課題】薬剤を爪に効果的に浸透させ、薬剤が洗い流されてしまうことを抑止することが可能な人工爪等を提供すること。
【解決手段】人工爪１は、本体層１１と、該本体層の下面に設けられ、薬剤を含む薬剤層１２とを備える。
【選択図】図１【図１】
0006025184.tif 000002
【図２】
0006025184.tif 000003
【図３】
0006025184.tif 000004
【図４】
0006025184.tif 000005
【図５】
0006025184.tif 000006
【図６】
0006025184.tif 000007
【図７】
0006025184.tif 000008
【図８】
0006025184.tif 000009
【図９】
0006025184.tif 000010
【図１０】
0006025184.tif 000011
【図１１】
0006025184.tif 000012
【図１２】
0006025184.tif 000013
【図１３】
0006025184.tif 000014
【図１４】
0006025184.tif 000015
【図１５】
0006025184.tif 000016
【図１６】
0006025184.tif 000017
【図１７】
0006025184.tif 000018
【図１８】
0006025184.tif 000019